(57)【要約】【課題】部品点数が少なく低コスト化が図れるとともに、施工が容易で、種々のサイズの配管に対応できる配管立上げ構造を提供すること。【解決手段】洗い場側フロア１６に設けられた穴部１６ａに給湯管２３を通させ、穴部１６ａの縁部と給湯管２３の外周部との間を塞いだ状態で給湯管２３を洗い場側フロア１６上に起立させて支持する配管立上げ構造２０を設けた。そして、給湯管２３の外周部にシール材３３を巻き付け、このシール材３３が巻き付けられた給湯管２３の周囲を、カバー部材２６を構成するカバー片２７，２８で、シール材３３を給湯管２３に押え付けた状態で被覆した。また、カバー片２７，２８の下端縁部の外周側に、カバー片２７，２８を洗い場側フロア１６に固定するための固定片２７ｂ，２８ｂを設けた。さらに、カバー片２７，２８に、互いを密着状態で連結するための係合突部２７ｃ，２８ｃおよび係合穴部２７ｄを設けた。【選択図】  図３
2005030027.tif 000002
【特許請求の範囲】
【請求項１】
床面部に設けられた穴部に配管を通し、前記穴部の縁部と前記配管の外周部との間を塞いだ状態で前記配管を前記床面部上に起立させて支持する配管立上げ構造であって、
前記配管の前記床面部上に位置する部分の外周部に巻き付けられる収縮可能なシール材と、
軸回りに方向に分割された複数の分割部材からなり互いに密着状態で組み付けられることにより、前記シール材が巻き付けられた配管の周囲を、前記シール材を前記配管に押え付けた状態で被覆できるカバー部材と
を備えたことを特徴とする配管立上げ構造。
【請求項２】
前記カバー部材を構成する複数の分割部材における下端縁部の外周側に、互いに組み付けられることによりフランジ状の固定部を形成する分割固定部を設け、前記分割固定部を介して、それぞれの分割部材を前記床面部に固定するようにした請求項１に記載の配管立上げ構造。
【請求項３】
前記カバー部材を構成する複数の分割部材に、互いに組み付けた際に隣り合う分割部材どうしをそれぞれ密着状態で連結するための連結部を設けた請求項１または２に記載の配管立上げ構造。
【請求項４】
前記床面部に設けられた穴部の周縁部に上方に向かって突出した係合用堰を設けるとともに、前記分割固定部を組み付けた状態における前記固定部の外周縁部に下方に突出した突部を設け、前記分割部材を組み付けた状態で前記突部を前記係合用堰に係合させることにより、前記床面部における穴部の下方部分と上方部分との間を塞いだ状態で前記カバー部材を床面部に固定するようにした請求項２または３に記載の配管立上げ構造。
【請求項５】
前記カバー部材を構成する複数の分割部材に、水平方向に延びる切断用の溝部を上下方向に一定間隔で設けた請求項１ないし４のうちのいずれか一つに記載の配管立上げ構造。
【発明の詳細な説明】
【０００１】
【発明の属する技術分野】
本発明は、床面部に設けられた穴部を挿通して屋外側から屋内に延びる配管を床面部上で起立させた状態で支持する配管立上げ構造に関する。
【０００２】
【従来の技術】
従来から、浴室、トイレ、洗面所、台所等の家屋内の各場所には、水や湯を取り出すための蛇口や取水口が設けられている。この蛇口等は、屋外に設けられた水供給用の水道管から分離して屋内に水を供給するための配管に接続されており、配管は床面部に設けられた穴部を通過して所定の場所まで延ばされている。この配管としては、施工のし易さなどから一般に可撓性を有する樹脂製のものが使用されている。
【０００３】
そして、配管における床面部の穴部に位置する部分は、穴部の周縁部との間に止水構造が設けられて水漏れが生じないようにされた状態で、床面部上で起立した姿勢に固定されている。このような配管の起立姿勢での固定と床面部に設けた穴部の止水ができる配管立上げ構造として、各種の固定用部材やシール部材を用いたものがある（例えば、特許文献１参照）。
【０００４】
この配管立上げ構造では、床面部に設けた穴部に円筒部を備えたフランジを取り付けこのフランジをねじで床面部に固定している。そして、平板状のリングの内側縁部に複数の三角状の突起を設け、その先端部を上方に折り曲げて構成されるロックリングをフランジに取り付け、その状態のフランジの円筒状部分に配管を通している。
【０００５】
このため、配管は、ロックリングの突起によって下方への抜けを防止された状態でフランジに起立した姿勢で保持される。また、配管と他の部材との接続部や配管と穴部の縁部との間等の各部分にはパッキンやＯリングからなるシール部材や継手、スペーサーリング等の部材が設けられ、その表面をカバーで被覆している。これによって、配管の起立状態での固定と配管と穴部の縁部との間の止水が可能になっている。
【０００６】
【特許文献１】
特開２００２−１６７８１７号公報
【０００７】
【発明が解決しようとする課題】
しかしながら、前述した従来の配管立上げ構造では、部品点数が多くコストが高くなるという問題や施工のための作業が煩雑になるという問題がある。また、使用する配管の大きさにしたがって使用する各部材も変更しなければならず多種の部材を準備しなければならないという問題もある。
【０００８】
【発明の概要】
本発明は、上記問題に対処するためになされたもので、その目的は、部品点数が少なく低コスト化が図れるとともに、施工が容易で、種々のサイズの配管に対応できる配管立上げ構造を提供することである。
【０００９】
上記の目的を達成するため、本発明にかかる配管立上げ構造の構成上の特徴は、床面部に設けられた穴部に配管を通し、穴部の縁部と配管の外周部との間を塞いだ状態で配管を床面部上に起立させて支持する配管立上げ構造であって、配管の床面部上に位置する部分の外周部に巻き付けられる収縮可能なシール材と、軸回りに方向に分割された複数の分割部材からなり互いに密着状態で組み付けられることにより、シール材が巻き付けられた配管の周囲を、シール材を前記配管に押え付けた状態で被覆できるカバー部材とを備えたことにある。
【００１０】
前記のように構成した本発明の配管立上げ構造では、収縮可能なシール材と、軸回りに方向に分割された複数の分割部材からなるカバー部材とを用い、配管の外周部にシール材を巻き付けて、そのシール材を配管に押し付けるようにしてカバー部材を取り付けるようにしている。このカバー部材が軸回り方向に分割された複数の分割部材で構成されるため、カバー部材を配管に取り付ける際、各分割部材を配管の側部側から取り付けることができる。
【００１１】
すなわち、カバー部材の内部に配管の先端部を通しその状態でカバー部材を順次移動させて取り付け位置まで持っていくといった面倒な作業が不要になる。これによって施工作業が容易になる。また、配管の外周部とカバー部材の内周部との間には収縮可能なシール材が設けられている。このため、シール材の量や取付方法を変えることにより、サイズの異なる配管を用いても同種のカバー部材を使用することができる。
【００１２】
例えば、カバー部材の内径を最大サイズの配管に取り付けることができる大きさに設定しておけば、カバー部材は一種類のものだけを用意すれば済む。また、カバー部材で配管を支持するため部品点数が少なくて済み、低コスト化が図れる。なお、カバー部材を構成する分割部材の数は、適宜選択することができるが、２個または３個で構成することが好ましい。
【００１３】
また、本発明にかかる配管立上げ構造の他の構成上の特徴は、カバー部材を構成する複数の分割部材における下端縁部の外周側に、互いに組み付けられることによりフランジ状の固定部を形成する分割固定部を設け、分割固定部を介して、それぞれの分割部材を床面部に固定するようにしたことにある。これによると、配管をより確実に起立状態で固定することができる。また、カバー部材の取り付け作業が容易になる。
【００１４】
本発明にかかる配管立上げ構造のさらに他の構成上の特徴は、カバー部材を構成する複数の分割部材に、互いに組み付けた際に隣り合う分割部材どうしをそれぞれ密着状態で連結するための連結部を設けたことにある。これによると、より確実にカバー部材を構成する各分割部材を密着状態で組み付けることができる。この場合の連結部としては、例えば、各分割部材の対向する部分にそれぞれ嵌め込むことにより固定が可能な突部と凹部を設けたもので構成したり、カバー部材の周囲を締め付けるバンドで構成したりすることができる。
【００１５】
また、本発明にかかる配管立上げ構造のさらに他の構成上の特徴は、床面部に設けられた穴部の周縁部に上方に向かって突出した係合用堰を設けるとともに、分割固定部を組み付けた状態における固定部の外周縁部に下方に突出した突部を設け、分割部材を組み付けた状態で突部を係合用堰に係合させることにより、床面部における穴部の下方部分と上方部分との間を塞いだ状態でカバー部材を床面部に固定するようにしたことにある。
【００１６】
これによると、床面部の穴部の周縁部に係合用堰を設けているため、たとえ、配管を通る水がカバー部材の外部側に漏れても、その水が穴部に浸入して床面部の下方に流れて行くといったことがなくなる。また、カバー部材の内周面と配管との間はシール材によってシールされるためカバー部材の内部から穴部に水が浸入して床面部の下方に流れて行くことはない。したがって、確実な止水が行える。
【００１７】
また、本発明にかかる配管立上げ構造のさらに他の構成上の特徴は、カバー部材を構成する複数の分割部材に、水平方向に延びる切断用の溝部を上下方向に一定間隔で設けたことにある。これによると、カバー部材を所定の溝部に沿って切断することにより任意の長さにすることができる。この結果、長めに設定したカバー部材を準備しておき、施工現場で配管に合わせて切断することにより、どのような配管にでも取り付けることができるため、カバー部材は１種類で済む。
【００１８】
【発明の実施の形態】
以下、本発明の一実施形態を図面を用いて説明する。図１は、本発明の配管立上げ構造を備えた浴室１０を示している。この浴室１０では、浴室１０内と屋外とを仕切る外側壁面パネル１１に窓１１ａが設けられており、床部における窓１１ａ側に浴槽１２が設けられている。そして、浴槽１２の左右（図１では前後）の側面は、左壁面パネル（図示せず）と右壁面パネル１３ａとで挟まれている。また、外側壁面パネル１１に対向する部分には、出入口（図示せず）を有する内側壁面パネル１３ｂが設けられ、天井部はドーム状の天井パネル１４で構成されている。
【００１９】
浴槽１２は、図２に示すように、浴槽側フロア１５の上面に設置されている。そして、浴槽側フロア１５の長手方向に沿った一方の縁部には、本発明の床面部としての洗い場側フロア１６が接続されている。また、洗い場側フロア１６の上面における右壁面パネル１３ａに沿った部分にカウンター１７が設けられ、カウンター１７の上方の壁面に鏡１８や収容棚１９等が設けられている。カウンター１７は、浴槽１２の上面部１２ａと略等しい高さに設けられている。
【００２０】
これらの浴室１０を構成する外側壁面パネル１１等の各パネル、浴槽１２、浴槽側フロア１５および洗い場側フロア１６等の各部分の本体部分は、それぞれ樹脂の成形体で構成されている。また、浴槽１２の上面部１２ａにおけるカウンター１７側の角部には、浴槽１２内に湯や水を取り出すための水栓２１が設けられ、カウンター１７の上方の壁面における鏡１８の下方には、カウンター１７で使う湯や水を取り出すための水栓２２が設けられている。
【００２１】
そして、洗い場側フロア１６におけるカウンター１７の下方部分には、水栓２１，２２に湯や水を供給するための本発明の配管としての給湯管２３および給水管２４を支持する配管立上げ構造２０がそれぞれ設けられている。給湯管２３および給水管２４は、ともに可撓性を有する樹脂製の管で構成されており、分配装置（図示せず）を介して屋外に設けられた水道管に連通している。そして、給湯管２３の通路内には加熱装置（図示せず）が設けられており、この加熱装置を通過して加熱された湯は給湯管２３を介して水栓２１，２２に供給される。また、給水管２４は、分配装置から送られる水道管の水を直接水栓２１，２２に供給する。
【００２２】
給湯管２３は、洗い場側フロア１６に設けられた穴部（図３参照）１６ａを通って洗い場側フロア１６の下方から上方に突出したところで三方に分岐したＴ型継手２５ａの一方の開口に接続されている。給湯管２３の上端部には細径部（図示せず）が形成され、その細径部の外周に雄ねじが形成されている。また、Ｔ型継手２５ａの内周面には雌ねじが形成され、ねじ同士を螺合させることにより給湯管２３とＴ型継手２５ａとは接続されている。そして、Ｔ型継手２５ａの他の２個の開口にそれぞれ分岐給湯管２３ａ，２３ｂが接続され、分岐給湯管２３ａの先端部が水栓２１に接続され、分岐給湯管２３ｂの先端部が水栓２２に接続されている。
【００２３】
また、給水管２４も同様に三方に分岐したＴ型継手２５ｂを介して分岐給水管２４ａ，２４ｂに接続されている。そして、分岐給水管２４ａの先端部が水栓２１に接続され、分岐給水管２４ｂの先端部が水栓２２に接続されている。水栓２１，２２にはそれぞれ湯を取り出すための操作部と水を取り出すための操作部とが備わっており、取り出す湯や水に応じて対応する操作部を操作することにより任意の湯や水を取り出すことができる。
【００２４】
配管立上げ構造２０は、図３に示したように構成されている。この配管立上げ構造２０は、給湯管２３に取り付けられたものも給水管２４に取り付けられたものも同じ構成であるため、ここでは、給湯管２３に取り付けた配管立上げ構造２０について説明する。配管立上げ構造２０は、給湯管２３の上端部に取り付けられたＴ型継手２５ａを支持した状態で給湯管２３を固定する樹脂製のカバー部材２６を備えている。
【００２５】
カバー部材２６は、図４に示したように、組み付けられることにより円筒状の配管支持部を構成する半円筒片２７ａ，２８ａおよび組み付けられることによりフランジ状の固定部を構成する本発明の分割固定部としての固定片２７ｂ，２８ｂのそれぞれ一方を備えた本発明の分割部材としての２個１組のカバー片２７，２８で構成されている。そして、半円筒片２７ａにおける半円筒片２８ａとの合わせ面の一方には、上下方向に一定間隔で３個の係合突部２７ｃが設けられ、半円筒片２７ａの合わせ面の他方には、上下方向に一定間隔で３個の係合穴部２７ｄが設けられている。
【００２６】
また、半円筒片２８ａにおける半円筒片２７ａとの合わせ面の一方には、係合突部２７ｃと係合可能な係合穴部（図示せず）が上下方向に一定間隔で３個設けられ、半円筒片２８ａの合わせ面の他方には、係合穴部２７ｄと係合可能な係合突部２８ｃが上下に一定間隔で３個設けられている。したがって、対応する係合突部２７ｃ，２８ｃと係合穴部２７ｄ等をそれぞれ係合させることによりカバー片２７，２８を組み付けてカバー部材２６を形成することができる。これらの係合突部２７ｃ，２８ｃおよび係合穴部２７ｄ等で本発明の連結部が構成される。
【００２７】
また、固定片２７ｂ，２８ｂには、それぞれねじ挿通用の挿通孔２７ｅ，２８ｅが所定間隔を保って複数個設けられており、この挿通孔２７ｅ，２８ｅにねじ２９ａ，２９ｂをそれぞれ挿通させてねじ２９ａ，２９ｂを洗い場側フロア１６に固着させることによりカバー部材２６を洗い場側フロア１６に固定することができる。さらに、固定片２７ｂ，２８ｂの底面における中心部側の部分には、それぞれ固定片２７ｂ，２８ｂの形状に沿った円弧状の溝部２７ｆ，２８ｆが設けられており、その溝部２７ｆ，２８ｆ内にそれぞれゴム製のシール材３１ａ，３１ｂが取り付けられている。これによって、カバー部材２６の底面と洗い場側フロア１６の上面における穴部１６ａの周囲部分との間が密閉される。
【００２８】
また、この配管立上げ構造２０は、カバー部材２６の外に、平面板状のゴムからなるリング状の止水部材３２およびゴムの発泡体からなる収縮可能なシール材３３を備えている。止水部材３２は、給湯管２３の外周部を囲った状態でカバー部材２６の上端部とＴ型継手２５ａの下端部との間に取り付けられており、カバー部材２６によって、Ｔ型継手２５ａ側に押し付けられている。また、シール材３３は、本発明にかかるシール材を構成するもので、給湯管２３の上端部近傍の外周部に巻き付けられている。
【００２９】
そして、カバー部材２６を給湯管２３に取り付ける際に、シール材３３は、カバー部材２６によって給湯管２３側に押し付けられて収縮した状態になる。この止水部材３２とシール材３３とによって、給湯管２３とカバー部材２６との間は密閉される。また、洗い場側フロア１６における給水管２４が設けられる部分にも穴部が設けられ、その穴部の上方にカバー部材２６と同一の構成からなるカバー部材３４等が設けられている。このカバー部材３４等によって給水管２４は、給湯管２３と同様起立した姿勢で固定されている。
【００３０】
この構成において、給湯管２３の上端部は、つぎのようにして、洗い場側フロア１６に固定される。まず、加熱装置を介して水道管側から延ばされてきた給湯管２３の先端側部分を穴部１６ａに通して、洗い場側フロア１６の下方から上方に突出させる。つぎに、給湯管２３の端部側外周部に止水部材３２を取り付けるとともに、給湯管２３の上端部にＴ型継手２５ａを取り付ける。ついで、給湯管２３の上端側部分に、シール材３３を巻きつける。そして、カバー片２７，２８の溝部２７ｆ，２８ｆ内にそれぞれシール材３１ａ，３１ｂを取り付け、その状態のカバー片２７，２８を給湯管２３の外周部に取り付ける。
【００３１】
この場合、給湯管２３における洗い場側フロア１６の上面とＴ型継手２５ａの下端部との間の長さ、より正確に言うとその長さから止水部材３２の厚みを差し引いた長さに合わせて、カバー片２７，２８における半円筒片２７ａ，２８ａの上部側部分を切断しておく。そして、半円筒片２７ａ，２８ａの上端部で止水部材３２を押し上げるようにして、給湯管２３の両側をカバー片２７，２８で挟み込み、対応する係合突部２７ｃ，２８ｃと係合穴部２７ｄ等を係合させる。このとき、シール材３３は、カバー部材２６と給湯管２３の間で押し付けられて収縮した状態になり、より確実に給湯管２３とカバー部材２６との間を密閉する。
【００３２】
そして、カバー片２７，２８の挿通孔２７ｅ，２８ｅにそれぞれねじ２９ａ，２９ｂを挿通させてねじ２９ａ，２９ｂを洗い場側フロア１６に固着させることにより組み付けられたカバー部材２６を洗い場側フロア１６に固定する。この場合、カバー部材２６の下面は洗い場側フロア１６の上面に圧接し、シール材３１ａ，３１ｂによってカバー部材２６の下面と洗い場側フロア１６の上面との間が密閉される。
【００３３】
これによって、給湯管２３の上端部は、水漏れを防止された状態で起立した姿勢に固定される。また、給水管２４の上端部も、同様にして、洗い場側フロア１６に固定される。そして、Ｔ型継手２５ａに分岐給湯管２３ａ，２３ｂを接続し、Ｔ型継手２５ｂに分岐給水管２４ａ，２４ｂを接続する。これによって、水道管と水栓２１，２２との間が接続され、水栓２１，２２は使用可能な状態になる。
【００３４】
入浴のために、浴槽１２内に湯を入れる場合には、まず、水栓２１が備える各操作部を操作して湯温を調節して水栓２１から湯を吐出させる。そして、湯面が適当な高さになったときに給湯を停止して入浴する。また、カウンター１７の前で、洗髪や体の洗浄をするために、湯や水を使用する場合には、水栓２２が備える各操作部を操作して、適度の温度に調節した湯や水を、水栓２２から取り出して使用する。
【００３５】
その際、給湯管２３は、配管立上げ構造２０によって起立姿勢を維持され、加熱装置側から送られる湯を、Ｔ型継手２５ａを介して分岐給湯管２３ａ，２３ｂに送る。また、給水管２４も、配管立上げ構造２０によって起立姿勢を維持され、水道管側から分配装置を介して直接送られる水を、Ｔ型継手２５ｂを介して分岐給水管２４ａ，２４ｂに送る。この結果、給湯管２３や給水管２４は湯や水の供給による振動等で移動することなく安定した状態に固定されて、湯や水を水栓２１，２２に供給する。また、配管立上げ構造２０から給湯管２３や給水管２４の湯や水が漏れることも防止される。
【００３６】
このように、本発明にかかる配管立上げ構造２０では、給湯管２３や給水管２４の外周部にシール材３３を巻き付けて、そのシール材３３を給湯管２３等に押し付けた状態でカバー片２７，２８を給湯管２３等の両側に取り付けるようにしている。このように、カバー片２７，２８を給湯管２３等の側部側から取り付けることができるため、施工作業が極めて容易になる。
【００３７】
また、給湯管２３等の外周部とカバー部材２６，３４の内周部との間に設けられるシール材３３は収縮可能であるため、このシール材３３の使用量や取付方法を変えることにより、給湯管２３等のサイズに拘わらず一種類のカバー部材２６，３４の使用で済む。また、カバー部材２６等の高さ方向の長さも、給湯管２３等の長さに応じて適宜切断することできるため、給湯管２３等は最大サイズのものを一種類準備しておけばよい。
【００３８】
また、カバー片２７，２８は、それぞれ組み付けられることによりフランジ状の固定部を形成する固定片２７ｂ，２８ｂを備えているため、給湯管２３等をより安定した起立状態で固定することができる。また、カバー片２７，２８の洗い場側フロア１６への取り付け作業が容易になる。さらに、カバー片２７，２８の組み付けを係合突部２７ｃ，２８ｃと係合穴部２７ｄ等を係合させることにより行うため組み付け作業が容易になる。
【００３９】
図５は、本発明の他の実施形態による配管立上げ構造で用いられるカバー部材３６を示している。このカバー部材３６は、一対のカバー片３７，３８で構成されており、カバー片３７の半円筒片３７ａとカバー片３８の半円筒片３８ａとの合わせ面には、それぞれ外側方向に突出した組み付け片３９ａ，３９ｂ，３９ｃ，３９ｄが、半円筒片３７ａ，３８ａの上下方向に沿って設けられている。そして、半円筒片３７ａの組み付け片３９ａには、係合突部３７ｃが上下方向に一定間隔で３個（１個しか図示せず）設けられ、組み付け片３９ｂには、係合穴部３７ｄが上下方向に一定間隔で３個（１個しか図示せず）設けられている。
【００４０】
また、半円筒片３８ａの組み付け片３９ｃには、係合突部３７ｃと係合可能な係合穴部３８ｄが上下に一定間隔で３個設けられ、組み付け片３９ｄには、係合穴部３７ｄと係合可能な係合突部３８ｃ上下方向に一定間隔で３個設けられている。したがって、対応する係合突部３７ｃ，３８ｃと係合穴部３７ｄ，３８ｄとをそれぞれ係合させることによりカバー片３７，３８を組み付けてカバー部材３６を形成することができる。
【００４１】
このカバー部材３６のそれ以外の部分の構成については、前述した実施形態におけるカバー部材２６と同様である。したがって、同一部分に同一符号を記している。また、このカバー部材３６を備えた配管立上げ構造のそれ以外の部分の構成についても、前述した実施形態と同一である。また、カバー部材３６を備えた配管立上げ構造の作用効果についても、前述した実施形態と同様である。
【００４２】
図６は、本発明のさらに他の実施形態による配管立上げ構造で用いられるカバー部材４６を示している。このカバー部材４６は、一対のカバー片４７，４８で構成されており、カバー片４７の半円筒片４７ａにおけるカバー片４８の半円筒片４８ａとの合わせ面の一方には、外周側に凹部が形成された係合突部４７ｃが半円筒片４７ａの上下方向に沿って設けられ、半円筒片４７ａの合わせ面の他方には、内周側に凹部が形成された係合凹部４７ｄが半円筒片４７ａの上下方向に沿って設けられている。
【００４３】
また、半円筒片４８ａにおける半円筒片４７ａとの合わせ面の一方には、内周側に凹部が形成されて係合突部４７ｃと係合可能になった係合凹部４８ｄが半円筒片４８ａの上下方向に沿って設けられ、半円筒片４８ａの合わせ面の他方には、外周側に凹部が形成されて係合凹部４７ｄと係合可能になった係合突部４８ｃが半円筒片４８ａの上下方向に沿って設けられている。したがって、対応する係合突部４７ｃ，４８ｃと係合凹部４７ｄ，４８ｄとをそれぞれ係合させることによりカバー片４７，４８を組み付けてカバー部材４６を形成することができる。
【００４４】
このカバー部材４６のそれ以外の部分の構成については、図４に示したカバー部材２６と同一である。したがって、同一部分に同一符号を記している。また、このカバー部材４６を備えた配管立上げ構造のそれ以外の部分の構成については、前述した実施形態と同一である。また、このカバー部材４６を備えた配管立上げ構造の作用効果についても、前述した実施形態と同様である。
【００４５】
図７は、本発明のさらに他の実施形態による配管立上げ構造で用いられるカバー部材５６を示している。このカバー部材５６では、カバー片５７，５８における半円筒片５７ａ，５８ａが上下方向に一定の幅で波状に形成された溝部５９ａ，５９ｂを備えた構成になっている。それぞれの溝部５９ａ，５９ｂは水平方向に形成されており、この溝部５９ａ，５９ｂに沿って半円筒片５７ａ，５８ａを切断し易い構造になっている。このカバー部材５６におけるそれ以外の部分の構成については、図４に示したカバー部材２６と同一である。したがって、同一部分に同一符号を記している。また、このカバー部材５６を備えた配管立上げ構造のそれ以外の部分の構成については、前述した実施形態と同一である。
【００４６】
このカバー部材５６では、半円筒片５７ａ，５８ａに一定間隔で溝部５９ａ，５９ｂが設けられているため、給湯管２３や給水管２４の長さに応じて半円筒片５７ａ，５８ａを簡単に切断できる。この結果、カバー部材５６の取り付け作業が容易になる。このカバー部材５６を備えた配管立上げ構造のそれ以外の作用効果については、前述した各実施形態と同様である。
【００４７】
図８は、本発明のさらに他の実施形態による配管立上げ構造６０を示している。この配管立上げ構造６０では、洗い場側フロア１６における穴部１６ａの周縁部に上方に向かって突出した係合用堰１６ｂが設けられている。そして、カバー部材６６の固定片６７ｂ，６８ｂの外周縁部に対応する部分にそれぞれ下方に突出した円弧状の突部６９ａ，６９ｂを設けている。そして、係合用堰１６ｂの外周側に突部６９ａ，６９ｂを係合させることにより、カバー部材６６を洗い場側フロア１６に取り付けている。
【００４８】
このカバー部材６６を備えた配管立上げ構造６０のそれ以外の部分の構成については、図３に示した配管立上げ構造２０と同一である。したがって、同一部分に同一符号を記している。また、このカバー部材６６を備えた配管立上げ構造６０によると、洗い場側フロア１６に係合用堰１６ｂを設けたため、より確実な水漏れの防止が行える。また、カバー部材６６の取り付けがさらに簡単になる。この配管立上げ構造６０におけるそれ以外の作用効果については、前述した実施形態と同一である。
【００４９】
また、本発明による配管立上げ構造は、前述した各実施形態以外についても技術的範囲内で適宜変更実施が可能である。例えば、前述した各実施形態では、給湯管２３、給水管２４およびカバー部材２６等を樹脂製としたが、これらを構成する材料としては、鋼等の金属を用いることもできる。また、カバー部材２６等を構成するカバー片２７，２８等を連結するための連結部としては、前述した係合突部２７ｃ，２８ｃと係合穴部２７ｄ等とで構成されるものに限らず、バンド状のものでカバー片２７，２８等を連結することができ、他の方法によってカバー片２７，２８等を連結することもできる。
【００５０】
さらに、配管立上げ構造を構成する各部材の材料や構造についても適宜変更実施が可能である。また、前述した実施形態では、配管立上げ構造２０等を浴室１０で使用しているが、本発明にかかる配管立上げ構造は、浴室に限らず、トイレ、洗面所、台所等の湯や水を使用する種々の場所で使用することができる。
【図面の簡単な説明】
【図１】本発明の一実施形態による配管立上げ構造を備えた浴室を示した斜視図である。
【図２】配管立上げ構造が取り付けられた浴槽とカウンターとを示した断面図である。
【図３】配管立上げ構造を示した断面図である。
【図４】配管立上げ構造が備えるカバー部材を示した斜視図である。
【図５】本発明の他の実施形態が備える配管立上げ構造のカバー部材を示した平面図である。
【図６】さらに他の実施形態が備える配管立上げ構造のカバー部材を示した平面図である。
【図７】さらに他の実施形態が備える配管立上げ構造のカバー部材を示した斜視図である。
【図８】さらに他の実施形態による配管立上げ構造を示した断面図である。
【符号の説明】
１６ｂ…係合用堰、１６…洗い場側フロア、１６ａ…穴部、２０，６０…配管立上げ構造、２３…給湯管、２４…給水管、２６，３４，３６，４６，５６，６６…カバー部材、２７，２８，３７，３８，４７，４８，５７，５８…カバー片、２７ｄ，３７ｄ，３８ｄ…係合穴部、２７ｃ，２８ｃ，３７ｃ，３８ｃ，４７ｃ，４８ｃ…係合突部、２７ａ，２８ａ，３７ａ，３８ａ，４７ａ，４８ａ，５７ａ，５８ａ…半円筒片、２７ｂ，２８ｂ，６７ｂ，６８ｂ…固定片、３３…シール材、４７ｄ，４８ｄ…係合凹部、５９ａ，５９ｂ…溝部、６９ａ，６９ｂ…突部。
【図１】
2005030027.tif 000003
【図２】
2005030027.tif 000004
【図３】
2005030027.tif 000005
【図４】
2005030027.tif 000006
【図５】
2005030027.tif 000007
【図６】
2005030027.tif 000008
【図７】
2005030027.tif 000009
【図８】
2005030027.tif 000010